【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
所定の遊技を行い、遊技価値が付与可能な遊技機と、遊技者が操作可能な端末装置と、前記遊技機で行われた遊技に関する情報を管理する情報管理装置と、を備える遊技用システムであって、
前記遊技機は、遊技の進行に応じて遊技演出を実行する遊技演出手段を含み、
前記情報管理装置は、前記遊技機により実行された遊技の履歴を特定可能な遊技履歴情報を管理する履歴情報管理手段を含み、
前記端末装置は、
遊技者による所定操作に応じて、前記遊技演出の演出態様を撮影対象とした撮影を行い、撮影画像データを生成する撮影手段と、
画像を表示する画像表示手段と、
所定条件が成立したときに、前記撮影画像データに基づく特別演出の実行を開始させる特別演出制御手段とを含み、
前記特別演出制御手段は、
前記撮影画像データに基づいて前記撮影対象の演出態様を検知する演出態様検知手段と、
前記撮影手段により撮影された画像と、前記演出態様検知手段による検知結果および前記履歴情報管理手段によって管理される前記遊技履歴情報に応じて異なる演出画像とを合成した遊技演出画像を、前記画像表示手段に表示させることにより、前記特別演出の実行を制御する表示制御手段とを含む、
ことを特徴とする遊技用システム。
【請求項２】
所定の遊技を行い、遊技価値が付与可能な遊技機と、遊技者が操作可能な端末装置と、を備える遊技用システムであって、
前記遊技機は、
該遊技機により実行された遊技の履歴を特定可能な履歴関連情報を入力する情報入力手段と、
遊技の進行に応じた遊技演出として、前記情報入力手段により入力された前記履歴関連情報から特定される遊技の履歴に基づく履歴反映演出を実行する遊技演出手段とを含み、
前記端末装置は、
遊技者による所定操作に応じて、前記履歴反映演出の演出態様を含む前記遊技演出の演出態様を撮影対象とした撮影を行い、撮影画像データを生成する撮影手段と、
画像を表示する画像表示手段と、
所定条件が成立したときに、前記撮影画像データに基づく特別演出の実行を開始させる特別演出制御手段とを含み、
前記特別演出制御手段は、
前記撮影画像データに基づいて前記撮影対象の演出態様を検知する演出態様検知手段と、
前記撮影手段により撮影された画像と、前記演出態様検知手段による検知結果に応じて異なる演出画像とを合成した遊技演出画像を、前記画像表示手段に表示させることにより、前記特別演出の実行を制御する表示制御手段とを含む、
ことを特徴とする遊技用システム。
【請求項３】
前記端末装置は、データ管理装置との間で通信を行う通信手段を含み、
前記表示制御手段は、前記通信手段により取得した画像データを用いて前記遊技演出画像を生成する通信画像生成手段を含む、
ことを特徴とする請求項１または２に記載の遊技用システム。
【請求項４】
前記遊技機は、
前記遊技価値を付与可能とするか否かを決定する決定手段と、
前記遊技演出の演出態様を決定する遊技演出決定手段とを含み、
前記表示制御手段は、
前記撮影画像データに基づいて遊技制御情報を取得する制御情報取得手段と、
前記遊技制御情報に基づいて前記演出画像を決定する画像決定手段とを含む、
ことを特徴とする請求項１、２または３に記載の遊技用システム。
【請求項５】
前記遊技機は、前記遊技演出が実行されることを予め報知する演出事前報知手段を含む、
ことを特徴とする請求項１から４のいずれか１項に記載の遊技用システム。
【請求項６】
前記端末装置は、遊技者識別情報を取得する識別情報取得手段を含み、
前記表示制御手段は、前記遊技者識別情報に基づいて前記遊技演出画像を生成する識別画像生成手段を含む、
ことを特徴とする請求項１から５のいずれか１項に記載の遊技用システム。
【請求項７】
所定の遊技を行い、遊技価値が付与可能な遊技機で行われた遊技に関する情報を管理する情報管理装置であって、
前記遊技機により実行された遊技の履歴を示す遊技履歴情報を管理する履歴情報管理手段を備え、
遊技者による所定操作に応じて、前記遊技機の遊技演出手段による遊技演出の演出態様を撮影対象とした撮影を行い、撮影画像データを生成する撮影手段と、画像を表示する画像表示手段と、所定条件が成立したときに、前記撮影画像データに基づく特別演出の実行を開始させる特別演出制御手段とを備える端末装置が、前記撮影画像データに基づいて前記撮影対象の演出態様を検知するとともに、前記撮影手段により撮影された画像と、前記撮影対象の演出態様の検知結果および前記遊技履歴情報に応じて異なる演出画像とを合成した遊技演出画像を、前記画像表示手段に表示させることにより、前記特別演出を実行するための前記遊技履歴情報を管理する、
ことを特徴とする情報管理装置。
【請求項８】
所定の遊技を行い、遊技価値が付与可能な遊技機であって、
遊技の進行に応じて遊技演出を実行する遊技演出手段を備え、
遊技者による所定操作に応じて、前記遊技演出の演出態様を撮影対象とした撮影を行い、撮影画像データを生成する撮影手段と、画像を表示する画像表示手段と、所定条件が成立したときに、前記撮影画像データに基づく特別演出の実行を開始させる特別演出制御手段とを備える端末装置が、前記撮影画像データに基づいて前記撮影対象の演出態様を検知するとともに、前記撮影手段により撮影された画像と、前記撮影対象の演出態様の検知結果および情報管理装置の履歴情報管理手段によって管理されて前記遊技機により実行された遊技の履歴を特定可能な遊技履歴情報に応じて異なる演出画像とを合成した遊技演出画像を、前記画像表示手段に表示させることにより、前記特別演出を実行するための前記遊技演出を実行する、
ことを特徴とする遊技機。
【請求項９】
所定の遊技を行い、遊技価値が付与可能な遊技機であって、
該遊技機により実行された遊技の履歴を特定可能な履歴関連情報を入力する情報入力手段と、
遊技の進行に応じた遊技演出として、前記情報入力手段により入力された前記履歴関連情報から特定される遊技の履歴に基づく履歴反映演出を実行する遊技演出手段とを備え、
遊技者による所定操作に応じて、前記履歴反映演出の演出態様を含む前記遊技演出の演出態様を撮影対象とした撮影を行い、撮影画像データを生成する撮影手段と、画像を表示する画像表示手段と、所定条件が成立したときに、前記撮影画像データに基づく特別演出の実行を開始させる特別演出制御手段とを備える端末装置が、前記撮影画像データに基づいて前記撮影対象の演出態様を検知するとともに、前記撮影手段により撮影された画像と、前記撮影対象の演出態様の検知結果に応じて異なる演出画像とを合成した遊技演出画像を、前記画像表示手段に表示させることにより、前記特別演出を実行するための前記遊技演出を実行する、
ことを特徴とする遊技機。
【請求項１０】
所定の遊技を行い、遊技価値が付与可能な遊技機の遊技者が操作可能な端末装置であって、
遊技者による所定操作に応じて、前記遊技機の遊技演出手段による遊技演出の演出態様を撮影対象とした撮影を行い、撮影画像データを生成する撮影手段と、
画像を表示する画像表示手段と、
所定条件が成立したときに、前記撮影画像データに基づく特別演出の実行を開始させる特別演出制御手段とを備え、
前記特別演出制御手段は、
前記撮影画像データに基づいて前記撮影対象の演出態様を検知する演出態様検知手段と、
前記撮影手段により撮影された画像と、前記演出態様検知手段による検知結果および情報管理装置の履歴情報管理手段によって管理されて前記遊技機により実行された遊技の履歴を特定可能な遊技履歴情報に応じて異なる演出画像とを合成した遊技演出画像を、前記画像表示手段に表示させることにより、前記特別演出の実行を制御する表示制御手段とを含む、
ことを特徴とする端末装置。
【請求項１１】
所定の遊技を行い、遊技価値が付与可能な遊技機の遊技者が操作可能な端末装置であって、
遊技者による所定操作に応じて、前記遊技機の遊技演出手段による遊技演出のうちで、前記遊技機の情報入力手段により入力された履歴関連情報から特定される前記遊技機により実行された遊技の履歴に基づく履歴反映演出の演出態様を含む遊技演出の演出態様を撮影対象とした撮影を行い、撮影画像データを生成する撮影手段と、
画像を表示する画像表示手段と、
所定条件が成立したときに、前記撮影画像データに基づく特別演出の実行を開始させる特別演出制御手段とを備え、
前記特別演出制御手段は、
前記撮影画像データに基づいて前記撮影対象の演出態様を検知する演出態様検知手段と、
前記撮影手段により撮影された画像と、前記演出態様検知手段による検知結果に応じて異なる演出画像とを合成した遊技演出画像を、前記画像表示手段に表示させることにより、前記特別演出の実行を制御する表示制御手段とを含む、
ことを特徴とする端末装置。
【請求項１２】
所定の遊技を行い、遊技価値が付与可能な遊技機の遊技者が操作可能な端末装置において実行される端末装置用プログラムであって、
遊技者による所定操作に応じて、前記遊技機の遊技演出手段による遊技演出の演出態様を撮影対象とした撮影を行い、撮影画像データを生成する撮影手段と、画像を表示する画像表示手段と、を備える前記端末装置を、
所定条件が成立したときに、前記撮影画像データに基づく特別演出の実行を開始させる特別演出制御手段として機能させ、
前記特別演出制御手段は、
前記撮影画像データに基づいて前記撮影対象の演出態様を検知する演出態様検知手段と、
前記撮影手段により撮影された画像と、前記演出態様検知手段による検知結果および情報管理装置の履歴情報管理手段によって管理されて前記遊技機により実行された遊技の履歴を特定可能な遊技履歴情報に応じて異なる演出画像とを合成した遊技演出画像を、前記画像表示手段に表示させることにより、前記特別演出の実行を制御する表示制御手段とを含む、
ことを特徴とする端末装置用プログラム。
【請求項１３】
所定の遊技を行い、遊技価値が付与可能な遊技機の遊技者が操作可能な端末装置において実行される端末装置用プログラムであって、
遊技者による所定操作に応じて、前記遊技機の遊技演出手段による遊技演出のうちで、前記遊技機の情報入力手段により入力された履歴関連情報から特定される前記遊技機により実行された遊技の履歴に基づく履歴反映演出の演出態様を含む遊技演出の演出態様を撮影対象とした撮影を行い、撮影画像データを生成する撮影手段と、画像を表示する画像表示手段と、を備える前記端末装置を、
所定条件が成立したときに、前記撮影画像データに基づく特別演出の実行を開始させる特別演出制御手段として機能させ、
前記特別演出制御手段は、
前記撮影画像データに基づいて前記撮影対象の演出態様を検知する演出態様検知手段と、
前記撮影手段により撮影された画像と、前記演出態様検知手段による検知結果に応じて異なる演出画像とを合成した遊技演出画像を、前記画像表示手段に表示させることにより、前記特別演出の実行を制御する表示制御手段とを含む、
ことを特徴とする端末装置用プログラム。
【手続補正２】
【補正対象書類名】明細書
【補正対象項目名】発明の名称
【補正方法】変更
【補正の内容】
【発明の名称】遊技用システム、情報管理装置、遊技機、端末装置および端末装置用プログラム
【手続補正３】
【補正対象書類名】明細書
【補正対象項目名】０００７
【補正方法】変更
【補正の内容】
【０００７】
（１）  上記目的を達成するため、本願の請求項に係る遊技用システムは、所定の遊技を行い、遊技価値（例えば大当り遊技状態や確変状態、あるいは、ビッグボーナスやレギュラーボーナスなど）が付与可能な遊技機（例えばパチンコ遊技機１Ａやスロットマシン１Ｂに代表される遊技機１など）と、遊技者が操作可能な端末装置（例えば携帯型コンピュータ５００Ａや携帯電話機５００Ｂに代表される端末装置５００など）と、前記遊技機で行われた遊技に関する情報を管理する情報管理装置（例えば遊技者管理サーバ６００Ａなど）と、を備える遊技用システム（例えば遊技用システム１００など）であって、前記遊技機は、遊技の進行に応じて遊技演出（例えば飾り図柄の可変表示や各種演出画像の表示など）を実行する遊技演出手段（例えば画像表示装置４１、スピーカ４２、演出用発光部材４３、演出用可動部材４４など）を含み、前記情報管理装置は、前記遊技機により実行された遊技の履歴を特定可能な遊技履歴情報を管理する履歴情報管理手段（例えば遊技者管理サーバ６００Ａのデータベース６０１や中央処理回路６０２など）を含み、前記端末装置は、遊技者による所定操作に応じて、前記遊技演出の演出態様を撮影対象とした撮影を行い、撮影画像データを生成する撮影手段（例えばカメラ５１１など）と、画像を表示する画像表示手段（例えばディスプレイ５１２など）と、所定条件が成立したときに、前記撮影画像データに基づく特別演出の実行を開始させる特別演出制御手段（例えば中央処理回路５０２や画像処理回路５０５など）とを含み、前記特別演出制御手段は、前記撮影画像データに基づいて前記撮影対象の演出態様を検知する演出態様検知手段（例えばステップＳＤ２４、ＳＥ２３、ＳＥ２４の処理を実行する中央処理回路５０２や画像処理回路５０５など）と、前記撮影手段により撮影された画像と、前記演出態様検知手段による検知結果および前記履歴情報管理手段によって管理される前記遊技履歴情報に応じて異なる演出画像（例えばキャラクタＣＡ１やキャラクタＣＳ１を示す演出画像など）とを合成した遊技演出画像を、前記画像表示手段に表示させることにより、前記特別演出の実行を制御する表示制御手段（例えばステップＳＤ２１〜ＳＤ２７の処理を実行する中央処理回路５０２や画像処理回路５０５など）とを含む。
【手続補正４】
【補正対象書類名】明細書
【補正対象項目名】００１０
【補正方法】変更
【補正の内容】
【００１０】
（２）  また、上記目的を達成するための遊技用システムは、所定の遊技を行い、遊技価値（例えば大当り遊技状態や確変状態、あるいは、ビッグボーナスやレギュラーボーナスなど）が付与可能な遊技機（例えばパチンコ遊技機１Ａやスロットマシン１Ｂに代表される遊技機１など）と、遊技者が操作可能な端末装置（例えば携帯型コンピュータ５００Ａや携帯電話機５００Ｂに代表される端末装置５００など）と、を備える遊技用システムであって、前記遊技機は、該遊技機により実行された遊技の履歴を特定可能な履歴関連情報を入力する情報入力手段（例えば演出用操作部材４５、あるいはステップＳＢ１２の処理を実行する演出制御用マイクロコンピュータ３２のＣＰＵなど）と、遊技の進行に応じた遊技演出（例えば飾り図柄の可変表示や各種演出画像の表示など）として、前記情報入力手段により入力された前記履歴関連情報から特定される遊技の履歴に基づく履歴反映演出を実行する遊技演出手段（例えばステップＳ２１１にて図１０（Ｂ）に示すように決定された演出制御パターンに基づいて、ステップＳ２２２の処理を実行する演出制御用マイクロコンピュータ３２のＣＰＵや、画像表示装置４１、スピーカ４２、演出用発光部材４３、演出用可動部材４４など）とを含み、前記端末装置は、遊技者による所定操作に応じて、前記履歴反映演出の演出態様を含む前記遊技演出の演出態様を撮影対象とした撮影を行い、撮影画像データを生成する撮影手段（例えばカメラ５１１など）と、画像を表示する画像表示手段（例えばディスプレイ５１２など）と、所定条件が成立したときに、前記撮影画像データに基づく特別演出の実行を開始させる特別演出制御手段（例えば中央処理回路５０２や画像処理回路５０５など）とを含み、前記特別演出制御手段は、前記撮影画像データに基づいて前記撮影対象の演出態様を検知する演出態様検知手段（例えばステップＳＤ２４、ＳＥ２３、ＳＥ２４の処理を実行する中央処理回路５０２や画像処理回路５０５など）と、前記撮影手段により撮影された画像と、前記演出態様検知手段による検知結果に応じて異なる演出画像（例えばキャラクタＣＡ１やキャラクタＣＳ１を示す演出画像など）とを合成した遊技演出画像を、前記画像表示手段に表示させることにより、前記特別演出の実行を制御する表示制御手段（例えばステップＳＤ２１〜ＳＤ２７の処理を実行する中央処理回路５０２や画像処理回路５０５など）とを含んでもよい。
このような構成によれば、遊技機の遊技演出手段による履歴反映演出の演出態様を含む遊技演出の演出態様を撮影対象とした撮影が行われ、生成された撮影画像データに基づき撮影対象の演出態様を検知した結果に応じて異なる演出画像と、撮影画像とが合成される。このように合成された遊技演出画像が、端末装置の画像表示手段に表示される。こうして、遊技の履歴に応じて演出内容を多様化することなどにより、遊技の興趣を向上させることができる。
【手続補正５】
【補正対象書類名】明細書
【補正対象項目名】００１１
【補正方法】変更
【補正の内容】
【００１１】
（３）  上記（１）または（２）の遊技用システムにおいて、前記端末装置は、データ管理装置との間で通信を行う通信手段を含み、前記表示制御手段は、前記通信手段により取得した画像データを用いて前記遊技演出画像を生成する通信画像生成手段を含んでもよい。
（４）  上記（１）〜（３）の遊技用システムにおいて、前記遊技機は、前記遊技価値を付与可能とするか否かを決定する決定手段と、前記遊技演出の演出態様を決定する遊技演出決定手段とを含み、前記表示制御手段は、前記撮影画像データに基づいて遊技制御情報を取得する制御情報取得手段と、前記遊技制御情報に基づいて前記演出画像を決定する画像決定手段とを含んでもよい。
（５）  上記（１）〜（４）の遊技用システムにおいて、前記遊技機は、前記遊技演出が実行されることを予め報知する演出事前報知手段を含んでもよい。
（６）  上記（１）〜（５）の遊技用システムにおいて、前記端末装置は、遊技者識別情報を取得する識別情報取得手段を含み、前記表示制御手段は、前記遊技者識別情報に基づいて前記遊技演出画像を生成する識別画像生成手段を含んでもよい。
【手続補正６】
【補正対象書類名】明細書
【補正対象項目名】００１２
【補正方法】変更
【補正の内容】
【００１２】
（７）  上記（１）または（２）の遊技用システムにおいて、前記端末装置は、電気通信ネットワーク（例えば通信ネットワーク５５０など）を介して接続されたデータ管理装置（例えば画像提供サーバ６００Ｂなど）との間で通信を行う通信手段（例えば通信処理回路５０６や通信インタフェース５０７など）を含み、前記表示制御手段は、前記通信手段により前記データ管理装置から取得した画像データに対応する演出画像を、前記撮影手段により撮影された画像と合成して前記遊技演出画像を生成する通信画像表示制御手段（例えばステップＳＤ２６の処理を実行する中央処理回路５０２や画像処理回路５０５など）を含んでもよい。
【手続補正７】
【補正対象書類名】明細書
【補正対象項目名】００１４
【補正方法】変更
【補正の内容】
【００１４】
（８）  上記（１）、（２）または（７）の遊技用システムにおいて、前記遊技機は、前記遊技価値を付与可能とするか否かを、遊技結果が導出される以前に決定する事前決定手段（例えばステップＳ１０２の処理を実行する遊技制御用マイクロコンピュータ２２のＣＰＵなど）と、前記遊技演出手段による前記遊技演出の演出態様を、前記事前決定手段の決定結果に基づく所定割合で複数種類のいずれかに決定する遊技演出決定手段（例えばステップＳ１１１の処理を実行する遊技制御用マイクロコンピュータ２２のＣＰＵや、ステップＳ２１１の処理を実行する演出制御用マイクロコンピュータ３２のＣＰＵなど）とを含み、前記表示制御手段は、前記撮影手段により生成された撮影画像データに基づいて、前記遊技演出手段による前記遊技演出の実行時間または前記所定の遊技価値が付与される可能性の少なくともいずれかを含む遊技制御情報を取得する遊技制御情報取得手段（例えばステップＳＥ２３、ＳＥ２４の処理を実行する中央処理回路５０２や画像処理回路５０５など）と、前記遊技制御情報取得手段により取得された遊技制御情報に基づいて、前記撮影手段により撮影された画像と合成される演出画像を決定する合成画像決定手段（例えばステップＳＥ２５の処理を実行する中央処理回路５０２など）とを含んでもよい。
【手続補正８】
【補正対象書類名】明細書
【補正対象項目名】００１６
【補正方法】変更
【補正の内容】
【００１６】
（９）  上記（１）、（２）、（７）または（８）の遊技用システムにおいて、前記遊技演出手段は、前記遊技価値が付与される可能性を示唆する前記遊技演出（例えばスーパーリーチＡ〜スーパーリーチＤのリーチ演出など）を実行し、前記表示制御手段は、前記遊技演出により示唆される可能性と比較して、高い可能性を示唆する前記遊技演出画像（例えば「第１キャラ→第２キャラ」や「第１キャラ→第２キャラ＋フラッシュ」の端末側演出表示を行う演出画像など）を前記画像表示手段に表示させてもよい。
【手続補正９】
【補正対象書類名】明細書
【補正対象項目名】００１８
【補正方法】変更
【補正の内容】
【００１８】
（１０）  上記（１）、（２）、（７）〜（９）の遊技用システムにおいて、前記遊技機は、前記遊技演出手段により前記遊技演出が実行されることを予め報知する演出事前報知手段（例えばステップＳＤ１３の処理を実行して、保留表示画像Ｈ０１を表示させる演出制御用マイクロコンピュータ３２のＣＰＵなど）を含んでもよい。
【手続補正１０】
【補正対象書類名】明細書
【補正対象項目名】００２０
【補正方法】変更
【補正の内容】
【００２０】
（１１）  上記（１）、（２）、（７）〜（１０）の遊技用システムにおいて、前記端末装置は、該端末装置を操作する遊技者を特定可能な遊技者識別情報を取得する識別情報取得手段（例えばステップＳＡ２１〜ＳＡ２５の処理を実行する中央処理回路５０２など）を含み、前記表示制御手段は、前記識別情報取得手段により取得した前記遊技者識別情報に基づいて決定された前記演出画像を、前記撮影手段により撮影された画像と合成して前記遊技演出画像を生成する遊技者対応表示制御手段（例えばサーバ６００におけるステップＳＤ３２〜ＳＤ３５の処理に基づいて、ステップＳＤ２６の処理を実行する中央処理回路５０２や画像処理回路５０５など）を含んでもよい。
【手続補正１１】
【補正対象書類名】明細書
【補正対象項目名】００２２
【補正方法】変更
【補正の内容】
【００２２】
（１２）  また、上記目的を達成するための情報管理装置は、所定の遊技を行い、遊技価値（例えば大当り遊技状態や確変状態、あるいは、ビッグボーナスやレギュラーボーナスなど）が付与可能な遊技機（例えばパチンコ遊技機１Ａやスロットマシン１Ｂに代表される遊技機１など）で行われた遊技に関する情報を管理する情報管理装置（例えば遊技者管理サーバ６００Ａなど）であって、前記遊技機により実行された遊技の履歴を示す遊技履歴情報を管理する履歴情報管理手段を備え（例えば遊技者管理サーバ６００Ａのデータベース６０１や中央処理回路６０２など）、遊技者による所定操作に応じて、前記遊技機の遊技演出手段による遊技演出の演出態様を撮影対象とした撮影を行い、撮影画像データを生成する撮影手段と、画像を表示する画像表示手段と、所定条件が成立したときに、前記撮影画像データに基づく特別演出の実行を開始させる特別演出制御手段とを備える端末装置（例えば携帯型コンピュータ５００Ａや携帯電話機５００Ｂに代表される端末装置５００など）の撮影手段（例えばカメラ５１１など）が、前記撮影画像データに基づいて前記撮影対象の演出態様を検知するとともに、前記撮影手段により撮影された画像と、前記撮影対象の演出態様の検知結果および前記遊技履歴情報に応じて異なる演出画像（例えばキャラクタＣＡ１やキャラクタＣＳ１を示す演出画像など）とを合成した遊技演出画像を、前記画像表示手段（例えばディスプレイ５１２など）に表示させることにより、前記特別演出を実行するための前記遊技履歴情報を管理してもよい。
このような構成によれば、遊技機の遊技演出手段による遊技演出の演出態様を撮影対象とした撮影が行われ、生成された撮影画像データに基づき撮影対象の演出態様を検知した結果さらには情報管理装置にて管理される遊技履歴情報に応じて異なる演出画像と、撮影画像とが合成される。このように合成された遊技演出画像が、端末装置の画像表示手段に表示される。こうして、遊技の履歴に応じて演出内容を多様化することなどにより、遊技の興趣を向上させることができる。
【手続補正１２】
【補正対象書類名】明細書
【補正対象項目名】００２３
【補正方法】変更
【補正の内容】
【００２３】
（１３）  また、上記目的を達成するための遊技機は、所定の遊技を行い、遊技価値が付与可能な遊技機であって、遊技の進行に応じて遊技演出を実行する遊技演出手段を備え、遊技者による所定操作に応じて、前記遊技演出の演出態様を撮影対象とした撮影を行い、撮影画像データを生成する撮影手段と、画像を表示する画像表示手段と、所定条件が成立したときに、前記撮影画像データに基づく特別演出の実行を開始させる特別演出制御手段とを備える端末装置が、前記撮影画像データに基づいて前記撮影対象の演出態様を検知するとともに、前記撮影手段により撮影された画像と、前記撮影対象の演出態様の検知結果および情報管理装置の履歴情報管理手段によって管理されて前記遊技機により実行された遊技の履歴を特定可能な遊技履歴情報に応じて異なる演出画像とを合成した遊技演出画像を、前記画像表示手段に表示させることにより、前記特別演出を実行するための前記遊技演出を実行してもよい。
【手続補正１３】
【補正対象書類名】明細書
【補正対象項目名】００２４
【補正方法】変更
【補正の内容】
【００２４】
（１４）  また、上記目的を達成するための遊技機は、所定の遊技を行い、遊技価値（例えば大当り遊技状態や確変状態、あるいは、ビッグボーナスやレギュラーボーナスなど）が付与可能な遊技機（例えばパチンコ遊技機１Ａやスロットマシン１Ｂに代表される遊技機１など）であって、該遊技機により実行された遊技の履歴を特定可能な履歴関連情報を入力する情報入力手段（例えば演出用操作部材４５、あるいはステップＳＢ１２の処理を実行する演出制御用マイクロコンピュータ３２のＣＰＵなど）と、遊技の進行に応じた遊技演出（例えば飾り図柄の可変表示や各種演出画像の表示など）として、前記情報入力手段により入力された前記履歴関連情報から特定される遊技の履歴に基づく履歴反映演出を実行する遊技演出手段（例えばステップＳ２１１にて図１０（Ｂ）に示すように決定された演出制御パターンに基づいて、ステップＳ２２２の処理を実行する演出制御用マイクロコンピュータ３２のＣＰＵや、画像表示装置４１、スピーカ４２、演出用発光部材４３、演出用可動部材４４など）とを備え、遊技者による所定操作に応じて、前記履歴反映演出の演出態様を含む前記遊技演出の演出態様を撮影対象とした撮影を行い、撮影画像データを生成する撮影手段と、画像を表示する画像表示手段と、所定条件が成立したときに、前記撮影画像データに基づく特別演出の実行を開始させる特別演出制御手段とを備える端末装置（例えば携帯型コンピュータ５００Ａや携帯電話機５００Ｂに代表される端末装置５００など）が、前記撮影画像データに基づいて前記撮影対象の演出態様を検知するとともに、前記撮影手段により撮影された画像と、前記撮影対象の演出態様の検知結果に応じて異なる演出画像（例えばキャラクタＣＡ１やキャラクタＣＳ１を示す演出画像など）とを合成した遊技演出画像を、前記画像表示手段（例えばディスプレイ５１２など）に表示させることにより、前記特別演出を実行するための前記遊技演出を実行してもよい。
【手続補正１４】
【補正対象書類名】明細書
【補正対象項目名】００２６
【補正方法】変更
【補正の内容】
【００２６】
（１５）  また、上記目的を達成するための端末装置は、所定の遊技を行い、遊技価値（例えば大当り遊技状態や確変状態、あるいは、ビッグボーナスやレギュラーボーナスなど）が付与可能な遊技機（例えばパチンコ遊技機１Ａやスロットマシン１Ｂに代表される遊技機１など）の遊技者が操作可能な端末装置（例えば携帯型コンピュータ５００Ａや携帯電話機５００Ｂに代表される端末装置５００など）であって、遊技者による所定操作に応じて、前記遊技機の遊技演出手段による遊技演出（例えば飾り図柄の可変表示や各種演出画像の表示など）の演出態様を撮影対象とした撮影を行い、撮影画像データを生成する撮影手段（例えばカメラ５１１など）と、画像を表示する画像表示手段（例えばディスプレイ５１２など）と、所定条件が成立したときに、前記撮影画像データに基づく特別演出の実行を開始させる特別演出制御手段（例えば中央処理回路５０２や画像処理回路５０５など）とを備え、前記特別演出制御手段は、前記撮影画像データに基づいて前記撮影対象の演出態様を検知する演出態様検知手段（例えばステップＳＤ２４、ＳＥ２３、ＳＥ２４の処理を実行する中央処理回路５０２や画像処理回路５０５など）と、前記撮影手段により撮影された画像と、前記演出態様検知手段による検知結果および情報管理装置の履歴情報管理手段によって管理されて前記遊技機により実行された遊技の履歴を特定可能な遊技履歴情報に応じて異なる演出画像（例えばキャラクタＣＡ１やキャラクタＣＳ１を示す演出画像など）とを合成した遊技演出画像を、前記画像表示手段に表示させることにより、前記特別演出の実行を制御する表示制御手段（例えばステップＳＤ２１〜ＳＤ２７の処理を実行する中央処理回路５０２や画像処理回路５０５など）とを含んでもよい。
【手続補正１５】
【補正対象書類名】明細書
【補正対象項目名】００２８
【補正方法】変更
【補正の内容】
【００２８】
（１６）  また、上記目的を達成するための端末装置は、所定の遊技を行い、遊技価値（例えば大当り遊技状態や確変状態、あるいは、ビッグボーナスやレギュラーボーナスなど）が付与可能な遊技機（例えばパチンコ遊技機１Ａやスロットマシン１Ｂに代表される遊技機１など）の遊技者が操作可能な端末装置（例えば携帯型コンピュータ５００Ａや携帯電話機５００Ｂに代表される端末装置５００など）であって、遊技者による所定操作に応じて、前記遊技機の遊技演出手段（例えば画像表示装置４１、スピーカ４２、演出用発光部材４３、演出用可動部材４４など）による遊技演出（例えば飾り図柄の可変表示や各種演出画像の表示など）のうちで、前記遊技機の情報入力手段により入力された履歴関連情報から特定される前記遊技機により実行された遊技の履歴に基づく履歴反映演出の演出態様を含む遊技演出の演出態様を撮影対象とした撮影を行い、撮影画像データを生成する撮影手段（例えばカメラ５１１など）と、画像を表示する画像表示手段（例えばディスプレイ５１２など）と、所定条件が成立したときに、前記撮影画像データに基づく特別演出の実行を開始させる特別演出制御手段（例えば中央処理回路５０２や画像処理回路５０５など）とを備え、前記特別演出制御手段は、前記撮影画像データに基づいて前記撮影対象の演出態様を検知する演出態様検知手段（例えばステップＳＤ２４、ＳＥ２３、ＳＥ２４の処理を実行する中央処理回路５０２や画像処理回路５０５など）と、前記撮影手段により撮影された画像と、前記演出態様検知手段による検知結果に応じて異なる演出画像（例えばキャラクタＣＡ１やキャラクタＣＳ１を示す演出画像など）とを合成した遊技演出画像を、前記画像表示手段に表示させることにより、前記特別演出の実行を制御する表示制御手段（例えばステップＳＤ２１〜ＳＤ２７の処理を実行する中央処理回路５０２や画像処理回路５０５など）とを含んでもよい。
【手続補正１６】
【補正対象書類名】明細書
【補正対象項目名】００３０
【補正方法】変更
【補正の内容】
【００３０】
（１７）  また、上記目的を達成するための端末装置用プログラムは、所定の遊技を行い、遊技価値（例えば大当り遊技状態や確変状態、あるいは、ビッグボーナスやレギュラーボーナスなど）が付与可能な遊技機（例えばパチンコ遊技機１Ａやスロットマシン１Ｂに代表される遊技機１など）の遊技者が操作可能な端末装置（例えば携帯型コンピュータ５００Ａや携帯電話機５００Ｂに代表される端末装置５００など）において実行される端末装置用プログラムであって、遊技者による所定操作に応じて、前記遊技機の遊技演出手段による遊技演出（例えば飾り図柄の可変表示や各種演出画像の表示など）の演出態様を撮影対象とした撮影を行い、撮影画像データを生成する撮影手段（例えばカメラ５１１など）と、画像を表示する画像表示手段（例えばディスプレイ５１２など）と、を備える前記端末装置を、所定条件が成立したときに、前記撮影画像データに基づく特別演出の実行を開始させる特別演出制御手段（例えば中央処理回路５０２や画像処理回路５０５など）として機能させ、前記特別演出制御手段は、前記撮影画像データに基づいて前記撮影対象の演出態様を検知する演出態様検知手段（例えばステップＳＤ２４、ＳＥ２３、ＳＥ２４の処理を実行する中央処理回路５０２や画像処理回路５０５など）と、前記撮影手段により撮影された画像と、前記演出態様検知手段による検知結果および情報管理装置の履歴情報管理手段によって管理されて前記遊技機により実行された遊技の履歴を特定可能な遊技履歴情報に応じて異なる演出画像（例えばキャラクタＣＡ１やキャラクタＣＳ１を示す演出画像など）とを合成した遊技演出画像を、前記画像表示手段に表示させることにより、前記特別演出の実行を制御する表示制御手段（例えばステップＳＤ２１〜ＳＤ２７の処理を実行する中央処理回路５０２や画像処理回路５０５など）とを含んでもよい。
【手続補正１７】
【補正対象書類名】明細書
【補正対象項目名】００３２
【補正方法】変更
【補正の内容】
【００３２】
（１８）  また、上記目的を達成するための端末装置用プログラムは、所定の遊技を行い、遊技価値（例えば大当り遊技状態や確変状態、あるいは、ビッグボーナスやレギュラーボーナスなど）が付与可能な遊技機（例えばパチンコ遊技機１Ａやスロットマシン１Ｂに代表される遊技機１など）の遊技者が操作可能な端末装置（例えば携帯型コンピュータ５００Ａや携帯電話機５００Ｂに代表される端末装置５００など）において実行される端末装置用プログラムであって、遊技者による所定操作に応じて、前記遊技機の遊技演出手段（例えば画像表示装置４１、スピーカ４２、演出用発光部材４３、演出用可動部材４４など）による遊技演出（例えば飾り図柄の可変表示や各種演出画像の表示など）のうちで、前記遊技機の情報入力手段により入力された履歴関連情報から特定される前記遊技機により実行された遊技の履歴に基づく履歴反映演出の演出態様を含む遊技演出の演出態様を撮影対象とした撮影を行い、撮影画像データを生成する撮影手段（例えばカメラ５１１など）と、画像を表示する画像表示手段（例えばディスプレイ５１２など）と、を備える前記端末装置を、所定条件が成立したときに、前記撮影画像データに基づく特別演出の実行を開始させる特別演出制御手段（例えば中央処理回路５０２や画像処理回路５０５など）として機能させ、前記特別演出制御手段は、前記撮影画像データに基づいて前記撮影対象の演出態様を検知する演出態様検知手段（例えばステップＳＤ２４、ＳＥ２３、ＳＥ２４の処理を実行する中央処理回路５０２や画像処理回路５０５など）と、前記撮影手段により撮影された画像と、前記演出態様検知手段による検知結果に応じて異なる演出画像（例えばキャラクタＣＡ１やキャラクタＣＳ１を示す演出画像など）とを合成した遊技演出画像を、前記画像表示手段に表示させることにより、前記特別演出の実行を制御する表示制御手段（例えばステップＳＤ２１〜ＳＤ２７の処理を実行する中央処理回路５０２や画像処理回路５０５など）とを含んでもよい。